【手続補正書】
【提出日】平成19年4月16日(2007.4.16)
【手続補正１】
【補正対象書類名】特許請求の範囲
【補正対象項目名】全文
【補正方法】変更
【補正の内容】
【特許請求の範囲】
【請求項１】
迎えを要求する者に使用される第１の端末装置から得られる、迎え地点を示した第１の
情報と、
迎えに行く者に使用される第２の端末装置から得られる、前記迎えに行く者の現在位置
を示した第２の情報と、
移動体に搭載される第３の端末装置から得られる、前記移動体の現在位置を示した第３
の情報とに基づいて、前記迎えに行く者の前記迎え地点への移動に関する情報を算出する
機能を有すると共に、
前記第１の端末装置と、前記第２の端末装置と、前記第３の端末装置との間に介在する
情報管理装置を備えた情報処理システムであって、
前記第２の情報、及び前記第３の情報に基づいて、前記迎えに行く者が前記移動体のと
ころへ至るまでの経路を探索する第１の経路探索手段と、
前記第３の情報、及び前記第１の情報に基づいて、前記移動体が前記迎え地点へ至るま
での経路を探索する第２の経路探索手段とを備えると共に、
前記情報管理装置が、前記第１の端末装置から送信されてくる迎え要求を示した第１の
迎え要求情報を受信すると、前記第２の端末装置へ迎えが要求されていることを示した第
２の迎え要求情報を送信する第１の送信手段を備え、
前記第２の端末装置が、前記情報管理装置から送信されてくる前記第２の迎え要求情報
を受信すると、前記迎えに行く者が迎え要求を了承するか否かを選択し得る環境を設定す
る環境設定手段と、
該環境設定手段により設定された環境で、前記迎えに行く者により選択された前記迎え
要求に対する返答結果を示した情報を前記情報管理装置へ送信する第２の送信手段とを備
え、
前記第１の経路探索手段、及び前記第２の経路探索手段による経路探索が、前記情報管
理装置での前記第１の迎え要求情報の受信をトリガとして行われるように構成されている
ことを特徴とする情報処理システム。
【請求項２】
迎えを要求する者に使用される第１の端末装置から得られる、迎え地点を示した第１の
情報と、
迎えに行く者に使用される第２の端末装置から得られる、前記迎えに行く者の現在位置
を示した第２の情報と、
移動体に搭載される第３の端末装置から得られる、前記移動体の現在位置を示した第３
の情報とに基づいて、前記迎えに行く者の前記迎え地点への移動に関する情報を算出する
機能を有すると共に、
前記第１の端末装置と、前記第２の端末装置と、前記第３の端末装置との間に介在する
情報管理装置を備えた情報処理システムであって、
前記第２の情報、及び前記第３の情報に基づいて、前記迎えに行く者が前記移動体のと
ころへ到達するまでに要する時間を算出する第４の所要時間算出手段と、
前記第３の情報、及び前記第１の情報に基づいて、前記移動体が前記迎え地点へ至るま
での経路を探索する第２の経路探索手段と、
該第２の経路探索手段により探索された経路に基づいて、前記移動体が前記迎え地点へ
到達するまでに要する時間を算出する第２の所要時間算出手段と、
前記第４の所要時間算出手段により算出された時間、及び前記第２の所要時間算出手段
により算出された時間に基づいて、前記迎えに行く者が前記迎え地点へ到達するまでに要
する時間を算出する第５の所要時間算出手段とを備えると共に、
前記情報管理装置が、前記第１の端末装置から送信されてくる迎え要求を示した第１の
迎え要求情報を受信すると、前記第２の端末装置へ迎えが要求されていることを示した第
２の迎え要求情報を送信する第１の送信手段を備え、
前記第２の端末装置が、前記情報管理装置から送信されてくる前記第２の迎え要求情報
を受信すると、前記迎えに行く者が迎え要求を了承するか否かを選択し得る環境を設定す
る環境設定手段と、
該環境設定手段により設定された環境で、前記迎えに行く者により選択された前記迎え
要求に対する返答結果を示した情報を前記情報管理装置へ送信する第２の送信手段とを備
え、
前記第４の所要時間算出手段による時間の算出、前記第２の経路探索手段による経路探
索、前記第２の所要時間算出手段による時間の算出、及び前記第５の所要時間算出手段に
よる時間の算出が、前記情報管理装置での前記第１の迎え要求情報の受信をトリガとして
行われるように構成されていることを特徴とする情報処理システム。
【請求項３】
前記第３の端末装置が、前記第２の経路探索手段により探索された経路に関する情報を
保持するための第１の保持手段を備えていることを特徴とする請求項１又は請求項２記載
の情報処理システム。
【請求項４】
前記第３の端末装置が、前記第２の端末装置で行い得る、前記迎えに行く者の前記迎え
地点への移動に関する一連の処理機能の全部又はその一部を備えると共に、
前記迎えに行く者が前記移動体のところに存在しているか否かを判断する存在有無判断
手段と、
該存在有無判断手段により、前記迎えに行く者が前記移動体のところに存在していると
判断された場合、前記第２の端末装置の代わりに、前記迎えに行く者の前記迎え地点への
移動に関する処理を行う代行処理手段とを備えていることを特徴とする請求項１〜３のい
ずれかの項に記載の情報処理システム。
【請求項５】
使用者に使用される第４の端末装置から得られる、目的地を示した第４の情報と、
移動体に搭載される第５の端末装置から得られる、前記移動体の現在位置を示した第５
の情報とに基づいて、前記移動体の前記目的地への移動に関する情報を算出する機能を有
した情報処理システムであって、
前記第５の端末装置が、
前記第４の情報、及び前記第５の情報に基づいて、前記移動体が前記目的地へ至るまで
の経路を探索する第３の経路探索手段と、
該第３の経路探索手段により探索された経路に関する情報を保持するための第２の保持
手段とを備えていることを特徴とする情報処理システム。
【請求項６】
移動体に搭載される端末装置であって、
迎えを要求する者に使用される他の端末装置から得られる、迎え地点を示した情報と、
前記移動体の現在位置を示した情報とに基づいて探索された、前記移動体が前記迎え地
点へ至るまでの経路に関する情報を保持するための保持手段を備えていることを特徴とす
る端末装置。
【請求項７】
使用者に使用される第４の端末装置から得られる、目的地を示した第４の情報と、
移動体の現在位置を示した第５の情報とに基づいて、前記移動体が前記目的地へ至るま
での経路を探索する第３の経路探索手段と、
該第３の経路探索手段により探索された経路に関する情報を保持するための第２の保持
手段とを備えていることを特徴とする端末装置。
【手続補正２】
【補正対象書類名】明細書
【補正対象項目名】発明の名称
【補正方法】変更
【補正の内容】
【発明の名称】情報処理システム及び端末装置
【手続補正３】
【補正対象書類名】明細書
【補正対象項目名】０００１
【補正方法】変更
【補正の内容】
【０００１】
本発明は情報処理システム及び端末装置に関し、より詳細には、目的地への移動に関す
る情報を算出する機能を有した情報処理システム及び端末装置に関する。
【手続補正４】
【補正対象書類名】明細書
【補正対象項目名】０００５
【補正方法】変更
【補正の内容】
【０００５】
本発明は上記課題に鑑みなされたものであって、車両などの移動体の使用者（例えば、
迎えに行く者）が前記移動体から離れたところにいたとしても、前記使用者や迎えを要求
する者に、目的地（例えば、迎え地点）までの経路や前記目的地の到達までにどのくらい
の時間を要するのかを知らせることのできる情報処理システム及び端末装置を提供するこ
とを目的としている。
【手続補正５】
【補正対象書類名】明細書
【補正対象項目名】００４２
【補正方法】変更
【補正の内容】
【００４２】
上記情報処理システム（１１）によれば、前記移動体の前記目的地への移動に関する情
報（例えば、前記目的地へ到達するまでに要する時間を示した情報）が、前記使用者によ
り使用される前記第４の端末装置（例えば、携帯電話）へ通知される。これにより、前記
使用者は、前記移動体から離れたところにいたとしても、前記目的地へ到達するまでに要
する時間などを知ることができる。
また、本発明に係る端末装置（１）は、移動体に搭載される端末装置であって、迎えを
要求する者に使用される他の端末装置から得られる、迎え地点を示した情報と、前記移動
体の現在位置を示した情報とに基づいて探索された、前記移動体が前記迎え地点へ至るま
での経路に関する情報を保持するための保持手段を備えていることを特徴としている。
上記端末装置（１）によれば、前記移動体が前記迎え地点へ至るまでの経路に関する情
報が保持されるので、迎えに行く者が前記移動体へ乗り込んだ後、ただちに前記迎え地点
へ向けて前記移動体を発進させることができる。これにより、時間のロスを生じないよう
にすることができる。
また、本発明に係る端末装置（２）は、使用者に使用される第４の端末装置から得られ
る、目的地を示した第４の情報と、移動体の現在位置を示した第５の情報とに基づいて、
前記移動体が前記目的地へ至るまでの経路を探索する第３の経路探索手段と、該第３の経
路探索手段により探索された経路に関する情報を保持するための第２の保持手段とを備え
ていることを特徴としている。
上記端末装置（２）によれば、前記使用者（例えば、運転者）によって外部から送信さ
れてきた前記目的地を示した情報に基づいて、該目的地へ至るまでの経路が探索され、こ
の経路に関する情報が保持される。そのため、前記使用者は前記移動体（例えば、車両）
へ乗り込んだ後、ただちに前記目的地へ向けて前記移動体を発進させることができる。こ
れにより、時間のロスを生じないようにすることができる。
【手続補正６】
【補正対象書類名】明細書
【補正対象項目名】００４３
【補正方法】変更
【補正の内容】
【００４３】
以下、本発明に係る情報処理システム及び端末装置の実施の形態を図面に基づいて説明
する。
図１は、実施の形態（１）に係る情報処理システムの要部を概略的に示したブロック図
である。図中１は、車両Ｃに搭載されるナビゲーション装置（本発明に係る第３の端末装
置に対応）を示しており、ナビゲーション装置１には携帯電話などの移動体通信装置（図
示せず）が接続され、その移動体通信装置を使って、例えば、基地局２及びネットワーク
３を介して、サービスセンターＳに設置されているサーバー４（本発明に係る情報管理装
置に対応）や、操作部やディスプレイを有した移動体通信装置５、６などとの間でデータ
のやり取りを行うことができるようになっている。なお、ここでは移動体通信装置５（本
発明に係る第２の端末装置に対応）は車両ＣのドライバーＤが所持しているものとし、ま
た、移動体通信装置６（本発明に係る第１の端末装置に対応）は別のユーザーＵが所持し
ているものとする。